(57)【要約】【課題】入浴者の好みに応じたいろいろな入浴姿勢を保った状態で容易に入浴することができる浴槽を提供することを目的としている【解決手段】腰掛け板の両端縁を受けて腰掛け板を浴槽本体の長辺側壁面に沿ってスライド自在に支持する腰掛け板の支持レールを浴槽本体の内面に沿って備える浴槽であって、前記支持レールが、浴槽本体の高さ方向の中間部と、上端部の上下２箇所に設けられていて、各支持レールにそれぞれ腰掛け板がスライド自在に支持されていることを特徴としている。【選択図】      図１
2006263231.tif 000002
【特許請求の範囲】
【請求項１】
腰掛け板の両端縁を受けて腰掛け板を浴槽本体の長辺側壁面に沿ってスライド自在に支持する腰掛け板の支持レールを浴槽本体の内面に沿って備える浴槽であって、
前記支持レールが、浴槽本体の高さ方向の中間部と、上端部の上下２箇所に設けられていて、各支持レールにそれぞれ腰掛け板がスライド自在に支持されていることを特徴とする浴槽。
【請求項２】
上側の支持レールが入浴者の手によって把持可能に形成されている請求項１に記載の浴槽。
【請求項３】
短辺側の少なくとも一方の框部に上側の支持レールに支持され、スライドしてきた腰掛け板が収まる腰掛け板の収容凹部を備えている請求項１または請求項２に記載の浴槽。
【請求項４】
少なくとも一方の短辺側内壁面の上部が底面に対して１３０°〜１６０°の傾斜角になるように形成されている請求項１〜請求項３にいずれかに記載の浴槽。
【発明の詳細な説明】
【技術分野】
【０００１】
本発明は、いろいろな入浴姿勢が楽しめる浴槽に関する。
【背景技術】
【０００２】
浴槽本体と、腰掛け板とを備え、浴槽本体内面の高さ方向の中間位置に浴槽本体壁面の上部を外側に凹設させて段状に形成した板支持部に、腰掛け板の両端縁を着脱自在に支持できるようにした浴槽が既に提案されている（たとえば、特許文献1参照）。
すなわち、この浴槽によれば、浴槽底面に座れば、従来の浴槽と同様に全身浴ができる。一方、腰掛け板支持部に腰掛け板を支持させ、腰掛け板に腰掛けるようにすれば、半身浴ができて、長時間に入浴が可能になる。また、腰掛け板を框をまたぐ場合のステップとして用いることもでき、老人や子供なども容易かつ安全に浴槽に出入りできるできるようになるという利点もある。
【０００３】
ところで、入浴スタイルは人によって好みが区々である。すなわち、上記のような全身浴や半身浴だけでなく足浴や寝浴などを好む人もいる。しかし、上記の浴槽の場合、足浴や寝浴を容易に楽しむことができない。
【０００４】
【特許文献１】特開２０００−２７９３３６号公報
【発明の開示】
【発明が解決しようとする課題】
【０００５】
本発明は、上記事情に鑑みて、入浴者の好みに応じたいろいろな入浴姿勢を保った状態で容易に入浴することができる浴槽を提供することを目的としている。
【課題を解決するための手段】
【０００６】
上記目的を達成するために、本発明の請求項１に記載の浴槽（以下、「請求項１の浴槽」と記す）は、腰掛け板の両端縁を受けて腰掛け板を浴槽本体の長辺側壁面に沿ってスライド自在に支持する腰掛け板の支持レールを浴槽本体の内面に沿って備える浴槽であって、
前記支持レールが、浴槽本体の高さ方向の中間部と、上端部の上下２箇所に設けられていて、各支持レールにそれぞれ腰掛け板がスライド自在に支持されていることを特徴としている。
【０００７】
本発明の請求項２に記載の浴槽（以下、「請求項２の浴槽」と記す）は、請求項１の浴槽において、上側の支持レールが入浴者の手によって把持可能に形成されていることを特徴としている。
【０００８】
本発明の請求項３に記載の浴槽（以下、「請求項３の浴槽」と記す）は、請求項１または請求項２の浴槽において、短辺側の少なくとも一方の框部に上側の支持レールに支持され、スライドしてきた腰掛け板が収まる腰掛け板の収容凹部を備えていることを特徴としている。
【０００９】
本発明の請求項４に記載の浴槽（以下、「請求項４の浴槽」と記す）は、請求項１〜請求項３のいずれかの浴槽において、少なくとも一方の短辺側内壁面の上部が底面に対して１３０°〜１６０°の傾斜角になるように形成されていることを特徴としている。
【発明の効果】
【００１０】
本発明にかかる浴槽は、以上のように、支持レールが、浴槽本体の高さ方向の中間部と、上端部の上下２箇所に設けられていて、各支持レールにそれぞれ腰掛け板がスライド自在に支持されている構成されているので、浴槽本体の底に座れば、全身浴ができ、下側の腰掛け板に座れば、半身浴ができ、上側の腰掛け板に座れば、足浴ができるなど、いろいろな入浴姿勢を容易にかつ安全に楽しめる。
【００１１】
また、請求項２の浴槽のように、上側の支持レールが入浴者の手によって把持可能に形成されている構成とすれば、支持レールを握りバーとしても利用でき、入浴者が浴槽への出入りを容易におこなうことができ、安全性が向上する。
【００１２】
請求項３の浴槽のように、短辺側の少なくとも一方の框部に上側の支持レールに支持され、スライドしてきた腰掛け板が収まる腰掛け板の収容凹部を備えている構成とすれば、上側の腰掛け板が不要な場合には、腰掛け板を収容部に収まる位置までスライドさせておけば、腰掛け板が入浴者の邪魔にならない。
【００１３】
請求項４の浴槽のように、少なくとも一方の短辺側内壁面の上部が底面に対して１３０°〜１６０°の傾斜角になるように形成されている構成とすれば、寝浴姿勢をうまく保つことができる。
【発明を実施するための最良の形態】
【００１４】
以下に、本発明を、その実施の形態をあらわす図面を参照しつつ詳しく説明する。
図１〜図３は、本発明にかかる浴槽の１つの実施の形態をあらわしている。
【００１５】
図１〜図３に示すように、この浴槽１は、浴槽本体２と、1対の上部支持レール３と、1対の下部支持レール４と、上部腰掛け板（スライドベンチ）５と、下部腰掛け板（スライドベンチ）６と、二本の板状框材７ａと、枕状框材７ｂとを備えている。
浴槽本体２は、繊維強化樹脂で形成されていて、上端に周囲に張り出す鍔部２０を備え、一方の短辺側の内壁面２１の壁面上部が壁面下部に対し外側に向かって傾斜する鈍角傾斜面２２になっている。なお、鈍角傾斜面２２は、浴槽底面２３に対して１３０°〜１６０°程度の角度が好ましい。
【００１６】
二本の板状框材７ａは、繊維強化プラスチックで形成され、それぞれ浴槽本体２の鍔部２０の長辺側部分に載置され、浴槽本体２にボルトや接着剤等によって固定されている。
そして、浴槽本体２の鍔部２０の鈍角傾斜面２２側の短辺側部分には、二本の板状框材７ａの間に嵌まり込むように枕状框材７ｂが載置され、浴槽本体２にボルトや接着剤等によって固定されている。
【００１７】
枕状框材７ｂは、一部が板状框材７ａより上方に突出するとともに、鈍角傾斜面２２に沿う傾斜面を備えている。
また、浴槽本体２の鍔部２０のもう一方の短辺側部分は、板状框材７ａおよび枕状框材７ｂが載置されておらず、この部分が後述する上部腰掛け板５の収容凹部２０ａとなっている。
【００１８】
1対の上部支持レール３は、浴槽本体２の両長辺側壁面の上部で対面するように設けら
れ、それぞれステンレス鋼製パイプで形成されたレール本体３１と、このレール本体３１の長手方向に等ピッチで設けられた４つのブラケット３２とを備えている。
【００１９】
そして、各ブラケット３２は、その脚部３２ａと断面略コ字形をした裏補強金具３３とによって浴槽本体２の壁面を挟み込んだ状態で、レール本体３１をレール本体３１の上縁が浴槽本体２の上縁とほぼ一致させるようにボルト３４によって浴槽本体２の長辺側の内
壁面に固定されている。
また、各レール本体３１と浴槽本体２との間には、レール本体３１を手摺りとして用いることができるように、入浴者の手が入り込む隙間が形成されている。
【００２０】
1対の下部支持レール４は、バー状をしていて、たとえば、浴槽底面２３から１０〜３
０ｃｍ程度上方位置で、浴槽本体２の２つの長辺側の壁面に対面するように設けられ、断面略コ字形をした裏補強金具４１との間で浴槽本体２の壁面を挟み込んだ状態でボルト４２によって浴槽本体２の長辺側の内壁面に固定されている。
【００２１】
上部腰掛け板５は、繊維強化樹脂製の本体表面が軟質樹脂製の化粧層で被覆され、収容凹部２０ａより厚みが厚く、収容凹部２０ａに嵌まり込む大きさをした板状をしていて、下面の上部支持レール３のレール本体３１に受けられる部分にレール本体３１のR形状に
沿う凹溝５１が設けられている。
【００２２】
すなわち、上部腰掛け板５は、凹溝５１にレール本体３１の上端部が嵌まり込んだ状態でレール本体３１によって左右のずれが防止された状態で下方から受けられ、レール本体３１の長手方向にスムーズにスライドするようになっている。そして、収容凹部２０ａ側までスライドさせて、収容凹部２０ａに押し込むと、収容凹部２０ａ内に上部腰掛け板５の下端部が完全に収容されるようになっている。
【００２３】
下部腰掛け板６は、腰掛け板本体６１と、係止金具６２とを備えている。
腰掛け板本体６１は、繊維強化樹脂製の本体表面が軟質樹脂製の化粧層で被覆された板状をしていて、長手方向の下面側にコーナー部に下部支持レール４の断面形状と略同じか少し大きく切り欠かれた逆Ｌ字形をした切欠部６３が形成されている。
【００２４】
そして、腰掛け板本体６１、切欠部６３内に下部支持レール４が入り込んだ状態で下部支持レール４にスライド自在に支持されるとともに、係止金具６２を下部支持レール４の下方に臨むように配置し、係止金具６２を腰掛け板本体６１の下面にビス（図示せず）によって固定することによって、下部支持レール４から離脱しないようにされている。
【００２５】
この浴槽１は、以上のようになっているので、以下のようにいろいろな入浴姿勢を楽しむことができる。
【００２６】
すなわち、図４に示すように、上部腰掛け板５を、腰掛け板本体５１が収容凹部２０ａに収容されるようにスライドさせるとともに、下部腰掛け板６を鈍角傾斜面２２側へスライドさせ、入浴者８が浴槽本体２の浴槽底面２３に座り、足先を下部腰掛け板６上に載せるようにすれば、通常浴ができる。
なお、身長の低い人の場合、下部腰掛け板６の縁に足の裏を当てるようにすれば、安定した入浴姿勢を保つことができる。
【００２７】
図５に示すように、上部腰掛け板５を、腰掛け板本体５１が収容凹部２０ａに収容されるようにスライドさせるとともに、下部腰掛け板６を図５とは逆側へスライドさせ、入浴者８が下部腰掛け板６に座るようにすれば、半身浴できる。
図６のように、下部腰掛け板６を鈍角傾斜面２２側へスライドさせ、上部腰掛け板５を他方の短辺側にスライドさせれば、入浴者８が下部腰掛け板６に臀部を載せ、鈍角傾斜面２２に背中を受けさせ、枕状框材７ｂの頭を受けさせた状態で両足のふくら脛部分を上部腰掛け板５に載せれば、安定した寝浴状態を楽しむことができる。
【００２８】
図７に示すように、入浴者８が上部腰掛け板５に座れば、足浴を行うことができる。
図８のように、ミストサウナ装置９を備えた浴室においては、上部腰掛け板５をミスト
の吹き出し口近傍までスライドさせ、入浴者８がこの上部腰掛け板５に座れば、ミストが効率よく入浴者８に当たり、ミストサウナ効果をより効率よく受けることができる。
【００２９】
本発明にかかる浴槽は、上記の実施の形態に限定されない。たとえば、上記の実施の形態では、鈍角傾斜面が短辺側の一方の内壁面に形成されていたが、両側に設けられていても構わない。また、上部だけでなく。底まで鈍角傾斜面が連続していても構わない。
上記の実施の形態では、上部支持レールのレール本体がステンレス鋼製パイプで形成されていたが、樹脂パイプでも構わないし、ステンレス鋼製パイプの表面に樹脂被覆されていても構わない。
【００３０】
上記の実施の形態では、寝浴の際に足のふくら脛部分を上部腰掛け板に受けさせていたが、浴槽内に別部品としてフロートを浮かべ、このフロートにふくら脛部分を受けさせるようにしても構わない。
【図面の簡単な説明】
【００３１】
【図１】本発明にかかる浴槽の１つの実施の形態をあらわす平面図である。
【図２】図１のＸ―Ｘ線断面図である。
【図３】図２の要部拡大図である。
【図４】図１の浴槽を用いた寝浴状態をあらわす概略図である。
【図５】図１の浴槽を用いた全身浴状態をあらわす概略図である。
【図６】図１の浴槽を用いた半身浴状態をあらわす概略図である。
【図７】図１の浴槽を用いた足浴状態をあらわす概略図である。
【図８】図１の浴槽を用いた寝浴状態をあらわす概略図である。
【符号の説明】
【００３２】
１  浴槽
２  浴槽本体
２０ａ  収容凹部
２２  鈍角傾斜面
２３  浴槽底面
３  上部支持レール
４  下部支持レール
５  上部腰掛け板
６  下部腰掛け板
７ａ  板状框材（框部）
７ｂ  枕状框材（框部）
８  入浴者
【図１】
2006263231.tif 000003
【図２】
2006263231.tif 000004
【図３】
2006263231.tif 000005
【図４】
2006263231.tif 000006
【図５】
2006263231.tif 000007
【図６】
2006263231.tif 000008
【図７】
2006263231.tif 000009
【図８】
2006263231.tif 000010